(57)【要約】【課題】  下水（被処理水）の流入流量及び流入水質が変動する場合であっても、汚泥流出を防止できる範囲内で、生物処理量を最大限確保し得る水処理制御装置及び水処理システムを提供する。【解決手段】  水処理制御装置２は、下水の一部若しくは全てを活性汚泥により処理する反応槽５と、反応槽５より流出する流出水を活性汚泥と処理水とに沈降分離する最終沈殿池６と、を有する水処理装置２を制御する水処理制御装置であって、未来の下水の流量及び水質を予測する流入水量・水質予測部２１と、反応槽５への流入水量の上限値を算出する処理可能量算出部２２と、反応槽５への流入水量を制御する処理量制御部２３と、を備える。処理量制御部２３は、流入水量・水質予測部２１の出力値と、処理可能量算出部２２の出力値とに基づき、反応槽５への流入水量を制御する。【選択図】  図１
2020006296.tif 000002
【特許請求の範囲】
【請求項１】
少なくとも、被処理水である下水の一部若しくは全てを活性汚泥により処理する反応槽と、前記反応槽より流出する流出水を活性汚泥と処理水とに沈降分離する最終沈殿池と、を有する水処理装置を制御する水処理制御装置であって、
未来の下水の流量及び水質を予測する流入水量・水質予測部と、
前記反応槽への流入水量の上限値を算出する処理可能量算出部と、
前記反応槽への流入水量を制御する処理量制御部と、を備え、
前記処理量制御部は、前記流入水量・水質予測部の出力値と、前記処理可能量算出部の出力値とに基づき、前記反応槽への流入水量を制御することを特徴とする水処理制御装置。
【請求項２】
請求項１に記載の水処理制御装置において、
処理区域内の降雨量を含む降雨情報を取得する降雨情報取得部を備え、
前記流入水量・水質予測部は、
流量計による前記下水の流量計測値及び前記降雨情報に基づき、前記未来の下水の流量を予測すると共に、水質計による前記下水の水質計測値及び前記流量計測値並びに降雨情報に基づき、前記未来の下水の水質を予測することを特徴とする水処理制御装置。
【請求項３】
請求項１又は請求項２に記載の水処理制御装置において、
前記処理可能量算出部は、
汚泥濃度計により計測される前記反応槽内の活性汚泥濃度の計測値に基づき、前記反応槽への流入水量の上限を求めることを特徴とする水処理制御装置。
【請求項４】
請求項１又は請求項２に記載の水処理制御装置において、
前記処理可能量算出部は、
汚泥濃度計により計測される前記反応槽内の活性汚泥濃度の計測値及び、汚泥界面計により計測される前記最終沈殿池の活性汚泥界面の計測値又は最終沈殿池による処理水のＳＳ濃度若しくは濁度に基づき、前記反応槽への流入水量の上限を求めることを特徴とする水処理制御装置。
【請求項５】
請求項３に記載の水処理制御装置において、
前記処理量制御部は、
前記処理可能量算出部により求められた前記反応槽への流入水量の上限及び前記流入水量・水質予測部の出力値に基づき、前記反応槽への流入水量を算出することを特徴とする水処理制御装置。
【請求項６】
請求項４に記載の水処理制御装置において、
前記処理量制御部は、
前記処理可能量算出部により求められた前記反応槽への流入水量の上限及び前記流入水量・水質予測部の出力値に基づき、前記反応槽への流入水量を算出することを特徴とする水処理制御装置。
【請求項７】
少なくとも、被処理水である下水一部若しくは全てを活性汚泥により処理する反応槽と、前記反応槽より流出する流出水を活性汚泥と処理水とに沈降分離する最終沈殿池を有する水処理装置と、
未来の下水の流量及び水質を予測する流入水量・水質予測部と、前記反応槽への流入水量の上限値を算出する処理可能量算出部と、前記反応槽への流入水量を制御する処理量制御部と、を有する水処理制御装置と、を備え、
前記処理量制御部は、前記流入水量・水質予測部の出力値と、前記処理可能量算出部の出力値とに基づき、前記反応槽への流入水量を制御することを特徴とすることを特徴とする水処理システム。
【請求項８】
請求項７に記載の水処理システムにおいて、
前記水処理装置は、前記下水の流量を計測する流量計と、前記下水の水質を計測する水質計を備え、
前記水処理制御装置は、処理区域内の降雨量を含む降雨情報を取得する降雨情報取得部を有し、
前記流入水量・水質予測部は、前記流量計による下水の流量計測値及び前記降雨情報に基づき、前記未来の下水の流量を予測すると共に、前記水質計による下水の水質計測値及び前記流量計測値並びに降雨情報に基づき、前記未来の下水の水質を予測することを特徴とする水処理システム。
【請求項９】
請求項７又は請求項８に記載の水処理システムにおいて、
前記処理可能量算出部は、汚泥濃度計により計測される前記反応槽内の活性汚泥濃度の計測値に基づき、前記反応槽への流入水量の上限を求めることを特徴とする水処理システム。
【請求項１０】
請求項７又は請求項８に記載の水処理システムにおいて、
前記処理可能量算出部は、汚泥濃度計により計測される前記反応槽内の活性汚泥濃度の計測値及び、汚泥界面計により計測される前記最終沈殿池の活性汚泥界面の計測値又は最終沈殿池による処理水のＳＳ濃度若しくは濁度に基づき、前記反応槽への流入水量の上限を求めることを特徴とする水処理システム。
【請求項１１】
請求項９に記載の水処理システムにおいて、
前記処理量制御部は、前記処理可能量算出部により求められた前記反応槽への流入水量の上限及び前記流入水量・水質予測部の出力値に基づき、前記反応槽への流入水量を算出することを特徴とする水処理システム。
【請求項１２】
請求項１０に記載の水処理システムにおいて、
前記処理量制御部は、前記処理可能量算出部により求められた前記反応槽への流入水量の上限及び前記流入水量・水質予測部の出力値に基づき、前記反応槽への流入水量を算出することを特徴とする水処理システム。
【発明の詳細な説明】
【技術分野】
【０００１】
本発明は、活性汚泥（ａｃｔｉｖａｔｅｄ  ｓｌｕｄｇｅ）を用いた水処理装置を制御する水処理制御装置及び水処理システムに関する。
【背景技術】
【０００２】
下水処理場では、一般的に以下の手順で下水を処理している。まず、沈砂池・最初沈殿池にて下水中の固形分が除去される。最初沈殿池で分離した固形分は最初沈殿池汚泥として汚泥処理へと移送される。最初沈殿池流出水は、反応槽にて微生物（活性汚泥）の働きにより、有機物や窒素、リンを除去する。その後、最終沈殿池にて活性汚泥を沈降分離させ、その上澄み水を放流水として公共用水域へ放流する。最終沈殿池にて沈降分離した活性汚泥は反応槽へと返送され、再び下水処理に利用される。  
下水と雨水を同一の管で下水処理場へと集約する合流式下水道では、一般的に最大計画汚水量を超える下水は、簡易処理として最初沈殿池における固形分の除去、そしてその後の消毒処理を経て、公共用水域へと放流される。
【０００３】
簡易処理では、従来の生物処理がなされず、放流先への環境負荷の低減が課題となっている。そこで、生物処理量を増やし、簡易処理放流量を減少させる方法として、例えば、非特許文献１が提案されており、良好な処理水水質を維持しつつ、放流汚濁負荷を低減できることが確認されている。  
また、既存のシステムを利用し、直接放流等してよいか否かを正しく判断でき、且つ直接放流等の操作も自動的に行う下水処理システムを提案するものとして、例えば、特許文献１に記載される技術が提案されている。特許文献１では、ポンプ全揚水量と降雨量を入力し流入量の増加状況を、ファジー推論を実行して流入水の希釈状況演算部に出力する流入量増加状況演算部と、この流入量増加状況演算部の出力と溶存酸素濃度値及び反応槽送風量とを入力して流入水の希釈状況を、ファジー推論を実行する希釈状況演算部と、この推論された希釈状況に応じて、例えば河川放流ポンプの起動／停止等の指令を出力する判定／操作指令部より構成される流入水処理演算部を有するが水処理システムが開示されている。
【先行技術文献】
【特許文献】
【０００４】
【特許文献１】特開２００２−１３６９８７号公報
【非特許文献】
【０００５】
【非特許文献１】山本高弘ほか、大阪市における既存施設を利用した合流式下水道の改善、環境システム計測制御学会誌、第１０巻第２号（２００６年）
【発明の概要】
【発明が解決しようとする課題】
【０００６】
しかしながら、非特許文献１に記載される水処理システム及び特許文献１に記載される下水処理システムでは、生物反応槽への受入可能量は最終沈殿池における固液分離能力に制限される。最終沈殿池では、流入水量の増大に伴い汚泥沈降時間が短くなり、汚泥界面が上昇するため、汚泥沈降状況によっては流入水量を制限しなければならない。そのため、例えば下水濃度のピーク時などに先立ち流入水量を過度に増加してしまうと、高濃度下水を十分に処理できない可能性がある。  
そこで、本発明は、下水（被処理水）の流入流量及び流入水質が変動する場合であっても、汚泥流出を防止できる範囲内で、生物処理量を最大限確保し得る水処理制御装置及び水処理システムを提供する。
【課題を解決するための手段】
【０００７】
上記課題を解決するため、本発明に係る水処理制御装置は、少なくとも、被処理水である下水の一部若しくは全てを活性汚泥により処理する反応槽と、前記反応槽より流出する流出水を活性汚泥と処理水とに沈降分離する最終沈殿池と、を有する水処理装置を制御する水処理制御装置であって、未来の下水の流量及び水質を予測する流入水量・水質予測部と、前記反応槽への流入水量の上限値を算出する処理可能量算出部と、前記反応槽への流入水量を制御する処理量制御部と、を備え、前記処理量制御部は、前記流入水量・水質予測部の出力値と、前記処理可能量算出部の出力値とに基づき、前記反応槽への流入水量を制御することを特徴とする。
【０００８】
また、本発明に係る水処理システムは、少なくとも、被処理水である下水一部若しくは全てを活性汚泥により処理する反応槽と、前記反応槽より流出する流出水を活性汚泥と処理水とに沈降分離する最終沈殿池を有する水処理装置と、未来の下水の流量及び水質を予測する流入水量・水質予測部と、前記反応槽への流入水量の上限値を算出する処理可能量算出部と、前記反応槽への流入水量を制御する処理量制御部と、を有する水処理制御装置と、を備え、前記処理量制御部は、前記流入水量・水質予測部の出力値と、前記処理可能量算出部の出力値とに基づき、前記反応槽への流入水量を制御することを特徴とする。
【発明の効果】
【０００９】
本発明によれば、下水（被処理水）の流入流量及び流入水質が変動する場合であっても、汚泥流出を防止できる範囲内で、生物処理量を最大限確保し得る水処理制御装置及び水処理システムを提供することが可能となる。  
上記した以外の課題、構成及び効果は、以下の実施形態の説明により明らかにされる。
【図面の簡単な説明】
【００１０】
【図１】本発明の一実施例に係る実施例１の水処理システムの概略全体構成図である。
【図２】図１に示す水処理制御装置の機能ブロック図である。
【図３】図２に示す水処理制御装置による好気槽（反応槽）への流入水量の流量制御フロー図である。
【図４】本発明の他の実施例に係る実施例２の水処理システムの概略全体構成図である。
【図５】図４に示す水処理制御装置の機能ブロック図である。
【図６】図５に示す水処理制御装置による好気槽（反応槽）への流入水量の流量制御フロー図である。
【発明を実施するための形態】
【００１１】
本明細書では、降雨により下水（被処理水）の流入流量及び流入水質が変動する場合を想定して説明するが、必ずしもこれに限られるものではない。降雨に限らず、例えば、重力沈降による沈降分離性能が効率的でない最終沈殿池を有する水処理装置においても、下水（被処理水）の流入流量及び流入水質が変動し得る。  
以下、図面を用いて本発明の実施例について説明する。  
【実施例１】
【００１２】
図１に、本発明の一実施例に係る実施例１の水処理システムの概略全体構成図を示す。図１において、実線は配管を示し、点線は信号線を示している。本実施例に係る水処理システム１は、生活廃水又は工業用排水等の下水（被処理水）を、標準活性汚泥法において、活性汚泥を用いて有機物等を除去する水処理装置２及び、水処理制御装置３を備える。
【００１３】
（水処理装置２の構成）  
図１に示すように、水処理装置２は、被処理水である下水１００の流入側より順に、最初沈殿池４、好気槽（反応槽）５及び最終沈殿池６を備える。好気槽（反応槽）５は、図１に示すように４段又は４槽直列に設けられている。なお、以下では、好気槽（反応槽）５が４槽直列に設けられる場合を一例として示すが、槽数はこれに限られるものではなく適宜設定されるものである。
【００１４】
最初沈殿池４には、例えば、図示しない沈砂池より被処理水である下水１００が流入し、最初沈殿池４内で下水１００に含まれる固形分が重力沈降により沈降分離される。沈降分離による上澄み水の一部は、可動堰１４を介して好気槽流入水１０１として、好気槽（反応槽）５に流入する。残りの上澄み水は、簡易処理放流水１０３として、消毒等のプロセスを経て放流される。  
なお、下水１００の最初沈殿池４への流路に設置された（最初沈殿池４の上流側に設置された）第１流量計１０は、最初沈殿池４へ流入する下水１００の流量を計測する。計測された下水１００の流量は、信号線を介して後述する水処理制御装置３へ出力される。また下水１００の最初沈殿池４への流路に設置された（最初沈殿池４の上流側に設置された）ＵＶ計１１は、最初沈殿池４へ流入する下水（被処理水）１００の有機物濃度を計測する。計測された下水１００の有機物濃度は、信号線を介して後述する水処理制御装置３へ出力される。また、図示しないが、処理区域内の降雨量などを計測する雨量計が設置され、雨量計により計測された降雨量などの降雨情報を、信号線を介して後述する水処理制御装置３へ出力する構成とすることが望ましい。
【００１５】
また、最上流側（初段）の好気槽（反応槽）５には、可動堰１４を介して最初沈殿池４より流入する好気槽流入水１０１と、返送汚泥１０５とが流入し、活性汚泥中の好気性従属栄養細菌による有機物酸化等が行われる。また、好気槽（反応槽）５には散気部７が設置されている。散気部７には、ブロワ８が接続され、空気が供給される。なお、最初沈殿池４から好気槽（反応槽）５の流路に設置された第２流量計１２は、好気槽流入水１０１の流量を計測する。計測された好気槽流入水１０１の流量は、信号線を介して後述する水処理制御装置３へ出力される。また、好気槽（反応槽）５内の下流側、換言すれば、最終段の好気槽（反応槽）５内には汚泥濃度計１３が設置され、好気槽（反応槽）５内の活性汚泥濃度を計測する。計測された好気槽（反応槽）５内の活性汚泥濃度は、信号線を介して後述する水処理制御装置３へ出力される。
【００１６】
最終沈殿池６は、上澄み液と活性汚泥とを重力沈降により沈降分離する施設である。沈降分離後の上澄み液は、処理水１０４として系外に放流される。また、沈降分離した活性汚泥１０２の一部は返送汚泥１０５として、返送ポンプ９により好気槽（反応槽）５へと返送され、再度一連の生物処理に供される。なお図示しないが、沈降分離した活性汚泥１０２の他の一部は余剰汚泥として余剰汚泥ポンプ（図示せず）により汚泥処理へと移送される。
【００１７】
（水処理制御装置３の構成）  
図２は、図１に示す水処理制御装置３の機能ブロック図である。図２に示すように、水処理制御装置３は、降雨情報取得部２０、流入水量・水質予測部２１、処理可能量算出部２２、処理量制御部２３、計測値取得部２４、下水流量時間変化データベース２５、降雨量−流入水量相関データベース２６、下水の有機物濃度時間変化データベース２７、通信Ｉ／Ｆ２８、入力Ｉ／Ｆ２９及び出力Ｉ／Ｆ３０を備え、これらは相互に内部バス３３を介して接続されている。また、入力Ｉ／Ｆ２９は入力部３１に接続され、入力部３１を介して入力される、施設条件等に基づく単位時間当たりの好気槽流入水１０１の流量上限や最終沈殿池６内の汚泥界面上限を取り込む。出力Ｉ／Ｆ２８は表示部３２に接続され、表示部３２は画面上に例えば、各種設定値或いは処理区域内の降雨情報等必要に応じて所望の情報を画面上に表示する。なお、水処理制御装置３は、図示しないが、好気槽（反応槽）５へ散気部７を介して供給される曝気風量を制御するため、ブロワ８を制制御する機能も有している。なお、本実施例では、水処理制御装置３が降雨情報取得部２０を有する場合を一例として説明する。
【００１８】
下水流量時間変化データベース２５は、過去の実績データを格納するものであり、例えば、１日単位では時間帯に応じた下水１００の流量、また、例えば１年単位では、季節ごとの下水１００の流量の時間変化をそれぞれ対応付けて格納している。  
また、降雨量−流入水量相関データベース２６は、過去に雨量計により計測された処理区域内の降雨量等の降雨情報と下水１００の流入水量（水処理装置２への流入水量）との関係を対応付けて格納している。なお、雨量計に代えて雨量レーダを用いても良い。  
下水の有機物濃度時間変化データベース２７は、下水１００の有機物濃度の時間変化を格納している。
【００１９】
計測値取得部２４は、最初沈殿池４の上流側に設置された第１流量計１０により計測される下水１００の流量計測値と、水質計としてのＵＶ計１１により計測される下水１００の有機物濃度を、通信Ｉ／Ｆ２８及び内部バス３３を介して取得する。また、計測値取得部２４は、最初沈殿池４から好気槽（反応槽）５の流路に設置された第２流量計１２により計測される好気槽流入水１０１の流量計測値と、汚泥濃度計１３により計測される好気槽（反応槽）５内の活性汚泥濃度の計測値及び雨量計により計測される降雨量などの降雨情報を、通信Ｉ／Ｆ２８及び内部バス３３を介して取得する。計測値取得部２４は、取得された下水１００の流量計測値及び下水１００の有機物濃度に対し、例えば、ノイズ除去等の処理を施し内部バス３３を介して流入水量・水質予測部２１及び処理量制御部２３へ転送する。また、計測値取得部２４は、取得された好気槽流入水１０１の流量計測値に対し、例えば、ノイズ除去等の処理を施し内部バス３３を介して流入水量・水質予測部２１及び処理可能量算出部２２へ転送する。同様に、計測値取得部２４は、取得された好気槽（反応槽）５内の活性汚泥濃度の計測値に対し、例えば、ノイズ除去等の処理を施し内部バス３３を介して処理可能量算出部２２へ転送すると共に、取得された降雨量などの降雨情報を降雨情報取得部２０へ転送する。
【００２０】
流入水量・水質予測部２１は、計測値取得部２４から転送された第１流量計１０により計測された下水１００の流量計測値（計測された下水１００の流量）及び降雨情報取得部２０からの処理区域内の降雨量などの降雨情報に基づき、未来の下水１００の流量を予測する。また、流入水量・水質予測部２１は、計測値取得部２４から転送された第１流量計１０により計測された下水１００の流量計測値（計測された下水１００の流量）、水質計としてのＵＶ計１１により計測された下水１００の有機物濃度、及び降雨情報取得部２０からの処理区域内の降雨量などの降雨情報に基づき、未来の下水１００の有機物濃度を予測する。
【００２１】
処理可能量算出部２２は、計測値取得部２４から転送された汚泥濃度計１３により計測された好気槽（反応槽）５内の活性汚泥濃度の計測値に基づき、所定時間における生物処理量、すなわち好気槽流入水１０１の流量上限を算出する。
【００２２】
処理量制御部２３は、処理可能量算出部２２により算出された所定時間における好気槽流入水１０１の流量上限の範囲内において、現在及び未来の下水１００の流量及び水質に応じて、所定時間内の各時刻の好気槽流入水１０１の流量設定値を算出し、計測値取得部２４から転送された第２流量計１２による好気槽流入水１０１の流量計測値と比較する。
【００２３】
可動堰１４は、最初沈殿池４から好気槽（反応槽）５までの流路に設置されており、処理量制御部２３と信号線を介して電気的に接続している。可動堰１４は、第２流量計１２による好気槽流入水１０１の流量計測値が処理量制御部２３による算出値と等しくなるように、堰高を制御する。換言すれば、処理量制御部２３は、上述の算出した所定時間内の各時刻の好気槽流入水１０１の流量設定値と第２流量計１２による好気槽流入水１０１の流量計測値とが等しくなるよう、出力Ｉ／Ｆ３０を介して可動堰１４へ堰高の制御量を送信する。なお、ここで、可動堰１４の堰高の調整（制御）は、自動或いは手動にて行われる。
【００２４】
次に、流入水量・水質予測部２１における下水１００の流量の予測手法について概説する。まず、流入水量・水質予測部２１は、上述のように計測値取得部２４から転送された第１流量計１０により計測された下水１００の流量計測値（計測された下水１００の流量）を取得すると共に、内部バス３３を介して下水流量時間変化データベース２５へアクセスし下水流量時間変化データベース２５に格納される過去の実績データとしての下水１００の流量の時間変化に基づき、雨水を除く下水について未来の流量を予測する。あわせて、流入水量・水質予測部２１は、降雨情報取得部２０により、処理区域内の降雨量などの降雨情報を取得すると共に、内部バス３３を介して降雨量−流入水量相関データベース２６へアクセスし、降雨量−流入水量相関データベース２６に格納される過去に雨量計１３により計測された処理区域内の降雨量等の降雨情報と下水の流入水量との関係に基づき、未来の雨水の流入量を予測する。そして、流入水量・水質予測部２１は、予測した未来の下水１００流量及び未来の雨水の流入量を合算し、下水１００の流量を予測する。
【００２５】
また、流入水量・水質予測部２１における下水１００の水質の予測手法について概説する。まず、流入水量・水質予測部２１は、上述のように計測値取得部２４から転送された水質計としてのＵＶ計１１により計測された下水１００の有機物濃度を取得すると共に、内部バス３３を介して下水の有機物濃度時間変化データベース２７へアクセスし、下水の有機物濃度時間変化データベース２７に格納される下水１００の有機物濃度の時間変化に基づき、雨水を除く下水について未来の有機物濃度を予測する。そして、流入水量・水質予測部２１は、雨水を除く下水の流量予測値及び雨水流入量予測値とから希釈効果を考慮し、未来の下水１００の有機物濃度を予測する。
【００２６】
上述の、降雨情報取得部２０、流入水量・水質予測部２１、処理可能量算出部２２、処理量制御部２３、及び計測値取得部２４は、例えば、図示しないＣＰＵ等のプロセッサ、各種プログラムを格納するＲＯＭ、演算過程のデータを一時的に格納するＲＡＭ、外部記憶装置等の記憶装置にて実現されると共に、ＣＰＵ等のプロセッサがＲＯＭに格納された各種プログラムを読み出し実行し、実行結果である演算結果をＲＡＭ又は外部記憶装置に格納する。
【００２７】
（水処理制御装置３の動作）  
次に、水処理制御装置３の動作、すなわち、好気槽（反応槽）５への好気槽流入水１０１の流量制御方法について説明する。  
図３は、図２に示す水処理制御装置３による好気槽（反応槽）５への流入水量の流量制御フロー図である。図３に示すようにステップＳ１０１では、施設条件等に基づき単位時間当たりの好気槽流入水１０１の流量上限（Ｑｔ＿ｕｐ）、最終沈殿池６内の活性汚泥界面上限（Ｈｕｐ）を、入力部３１を介して設定する。
【００２８】
次に、ステップＳ１０２では、処理可能量算出部２２は、汚泥濃度計１３による好気槽（反応槽）５内の汚泥濃度（Ｘ（ｔ））を、内部バス３３を介して計測値取得部２４から取得する。  
ステップＳ１０３では、処理可能量算出部２２は、ステップＳ１０２にて取得した好気槽（反応槽）５内の汚泥濃度（Ｘ（ｔ））に基づき、所定期間における好気槽流入水１０１の積算流量上限（Ｑｔ＿ａｌｌ＿ｕｐ（ｔ））を算出する（好気槽流入水１０１の流量上限を算出）。
【００２９】
ステップＳ１０４では、流入水量・水質予測部２１は、計測値取得部２４から転送された第１流量計１０により計測された下水１００の流量計測値（Ｑｉｎ（ｔ））、水質計としてのＵＶ計１１により計測された下水１００の有機物濃度（Ｃｉｎ（ｔ））、及び降雨情報取得部２０からの処理区域内の降雨量などの降雨情報を取得する。  
ステップＳ１０５では、流入水量・水質予測部２１は、ステップＳ１０４にて取得した下水１００の流量計測値（Ｑｉｎ（ｔ））及び降雨情報に基づき、未来の下水１００の流量（Ｑｉｎ（ｔ＋ｎ・Δｔ））を予測する。また、流入水量・水質予測部２１は、ステップＳ１０４にて取得した下水１００の有機物濃度（Ｃｉｎ（ｔ））及び降雨情報に基づき、未来の下水１００の有機物濃度（Ｃｉｎ（ｔ＋ｎ・Δｔ））を予測する。
【００３０】
ステップＳ１０６では、処理量制御部２３は、上述のステップＳ１０３において処理可能量算出部２２により算出された所定期間における好気槽流入水１０１の積算流量上限Ｑｔ＿ａｌｌ＿ｕｐ（ｔ））、及び、上述のステップＳ１０５において流入水量・水質予測部２１により算出された未来の下水１００の水質である有機物濃度（Ｃｉｎ（ｔ＋ｎ・Δｔ））と、に基づき、各時刻の好気槽流入水１０１の流量設定値（Ｑｔ（ｔ＋ｎ・Δｔ））を算出する。  
ステップＳ１０７では、処理量制御部２３は、ステップＳ１０６にて算出した各時刻の好気槽流入水１０１の流量設定値（Ｑｔ（ｔ＋ｎ・Δｔ））と、ステップＳ１０１にて設定された単位時間当たりの好気槽流入水１０１の流量上限（Ｑｔ＿ｕｐ）と比較する。比較の結果、各時刻の好気槽流入水１０１の流量設定値（Ｑｔ（ｔ＋ｎ・Δｔ））が単位時間当たりの好気槽流入水１０１の流量上限（Ｑｔ＿ｕｐ）よりも小さければステップＳ１０８へ進む。一方、比較の結果、各時刻の好気槽流入水１０１の流量設定値（Ｑｔ（ｔ＋ｎ・Δｔ））が単位時間当たりの好気槽流入水１０１の流量上限（Ｑｔ＿ｕｐ）以上の場合はステップＳ１０９へ進む。
【００３１】
ステップＳ１０８では、処理量制御部２３は、時刻ｔ＋ｎ・Δｔにおける好気槽流入水１０１を、ステップＳ１０６で算出した好気槽流入水１０１の流量設定値（Ｑｔ（ｔ＋ｎ・Δｔ））とし、ステップＳ１０２へ戻る。  
ステップＳ１０９では、処理量制御部２３は、時刻ｔ＋ｎ・Δｔにおける好気槽流入水１０１を、単位時間当たりの好気槽流入水１０１の流量上限（Ｑｔ＿ｕｐ）とし、ステップＳ１０２へ戻る。
【００３２】
ここで、上述のステップＳ１０３における所定期間における好気槽流入水１０１の積算流量上限（Ｑｔ＿ａｌｌ＿ｕｐ（ｔ））、及びステップＳ１０６における各時刻の好気槽流入水１０１の流量設定値（Ｑｔ（ｔ＋ｎ・Δｔ））の算出方法について概説する。なお、以下に示す方法は一例であって、必ずしもこれに限られるものではない。  
まず、以下の式（１）を用いて、有効水深Ｈｓ（ｍ）から活性汚泥界面上限Ｈｕｐ（ｍ）を減算し、少なくとも沈降すべき水深ΔＨｍｉｎ（ｍ）を算出する。  
【００３３】
【数１】
2020006296.tif 000003
【００３４】
次に、初期活性汚泥濃度Ｘ（ｔ）（ｍｇ／Ｌ）と、活性汚泥界面上限Ｈｕｐ（ｍ）まで沈降した際の活性汚泥濃度の平均値Ｘａｖ（ｔ）（ｍｇ／Ｌ）を、以下の式（２）にて算出する。  
【００３５】
【数２】
2020006296.tif 000004
【００３６】
そして、活性汚泥濃度の関数である活性汚泥沈降速度の平均値ｖａｖ（ｔ）（ｍ/ｍｉｎ）を、以下の式（３）にて算出する。  
【００３７】
【数３】
2020006296.tif 000005
【００３８】
式（１）及び式（３）の算出値並びに最終沈殿池６の容積Ｖ（ｍ３）から、最終沈殿池６からの流出部において、活性汚泥界面が上限Ｈｕｐ（ｍ）以下となる流量上限Ｑｕｐ（ｔ）（ｍ３/ｍｉｎ）を、以下の式（４）にて算出し、さらには所定期間（Ｎ・Δｔ）における好気槽流入水１０１の積算流量上限（Ｑｔ＿ａｌｌ＿ｕｐ（ｔ））（ｍ３）を、以下の式（５）にて算出する。ここで、所定期間（Ｎ・Δｔ）として、例えば、３０分間或いは１時間等適宜設定される。降雨の場合を一例とした場合、例えば、降雨情報取得部２０により降雨情報が取得された時点をトリガーとして、５分毎或いは１０分毎に、１時間までそれぞれ算出する。  
【００３９】
【数４】
2020006296.tif 000006
【００４０】
【数５】
2020006296.tif 000007
【００４１】
なお、上記式（４）は、Ｖ／Ｑｕｐ（ｔ）＝ΔＨｍｉｎ／ｖａｖ（ｔ）を変形したものであり、左辺のＶ／Ｑｕｐ（ｔ）は、水平方向条件（最終沈殿池６内の滞留時間表す）であり、右辺のΔＨｍｉｎ／ｖａｖ（ｔ）は、鉛直方向条件（ΔＨｍｉｎ分沈むのに要する時間を表す）である。
【００４２】
上述のステップＳ１０６では、以下の式（６）に従って各時刻の好気槽流入水１０１の流量設定値（Ｑｔ（ｔ＋ｎ・Δｔ））を算出する。  
【００４３】
【数６】
2020006296.tif 000008
【００４４】
一般的に好気槽（反応槽）５への流入水量は、計画水量以下とする、若しくは運転管理者が最終沈殿池６での活性汚泥沈降状況に基づき水量を設定する。本実施例では、最終沈殿池６での活性汚泥界面が上限値を下回る範囲で、好気槽流入水１０１の流量を最大限高めることで、活性汚泥流出を抑制しつつ、簡易処理放流水１０３の水量を削減できる。また、下水１００の水質に応じて好気槽流入水１０１の流量を設定することで、高濃度下水を選択的により多く生物処理することで、放流汚濁負荷を低減することができる。  
なお、本実施例では、標準活性汚泥法を導入している水処理装置１を一例として説明したが、例えば、嫌気好気活性汚泥法や循環式硝化脱窒法など、最終沈殿池を備え、活性汚泥を用いた処理方式であれば、同様に適用可能である。
【００４５】
なお、本実施例では、第１流量計１０及びＵＶ計１１を最初沈殿池４の上流に設置したが、最初沈殿池４から好気槽（反応槽）５までの間に設置しても良い。例えば、第１流量計１０を最初沈殿池４から簡易処理放流水１０３の流路分岐点までの間に設置し、最初沈殿池４からの流出水の流量を計測する構成としても良い。同様に、ＵＶ計１１も最初沈殿池４の下流に設置し、好気槽流入水１０１若しくは簡易処理放流水１０３の有機物濃度を計測する構成としても良い。
【００４６】
なお、本実施例では、水質計としてＵＶ計１１を用いたが、これに代えて、ＣＯＤ計など有機物濃度を推定・計測できるものであれば良い。また、本実施例では、下水１００の水質として有機物としたが、窒素やリンなどでも良く、例えば水質計としてアンモニア計を用いても良い。
【００４７】
なお、本実施例では、第２流量計１２を最初沈殿池４か好気槽（反応槽）５の流路に設置したが、必ずしも設置する必要はなく、第１流量計１０による下水１００の流量計測値および可動堰１４の堰高から好気槽流入水１０１の流量を推定しても良い。
【００４８】
なお、本実施例では、可動堰１４を最初沈殿池４から好気槽（反応槽）５の流路に設置し、好気槽流入水１０１の流量を制御したが、これに代えて、可動堰１４を簡易処理放流水１０３の流路に設置し、簡易処理放流水１０３の流量を制御する構成としても良い。この場合、簡易処理放流水１０３の流量は、下水１００の流量から、最初沈殿池４での汚泥引抜量、及び式（６）により算出した好気槽流入水１０１の流量を差し引いた値とする。なお、本実施例では、ステップＳ１０８若しくはステップＳ１０９において好気槽流入水１０１の流量設定値を算出したが、その後、下水１００の流量計測値と比較するステップを追加し、下水１００の流量計測値のほうが大きければ、ステップＳ１０８若しくはステップＳ１０９において算出した設定値とし、下水１００の流量計測値のほうが小さければ、下水１００の流量計測値を設定値としても良い。
【００４９】
以上の通り本実施例によれば、下水（被処理水）の流入流量及び流入水質が変動する場合であっても、汚泥流出を防止できる範囲内で、生物処理量を最大限確保し得る水処理制御装置及び水処理システムを提供することが可能となる。  
また、本実施例によれば、活性汚泥流出を抑制しつつ簡易処理放流水の水量を削減できる。  
また、本実施例によれば、高濃度下水を選択的により多く生物処理することで、放流汚濁負荷を低減することも可能となる。
【実施例２】
【００５０】
図４は、本発明の他の実施例に係る実施例２の水処理システムの概略全体構成図であり、図５は、図４に示す水処理制御装置の機能ブロック図である。上述の実施例１では、好気槽（反応槽）５に設置される汚泥濃度計１３の計測値を用いて上記式（４）により、好気槽流入水１０１の流量上限Ｑｕｐ（ｔ）を算出する構成とした。これに対し本実施例では、実施例１の構成に加え、汚泥界面計１５を最終沈殿池６に設置し水処理制御装置３ａが更に汚泥沈降評価部３４を有する構成とした点が実施例１と異なる。実施例１と同様の構成要素に同一符号を付し、以下では一部実施例１と重複する説明を省略する。
【００５１】
図４に示すように、本実施例に係る水処理システム１ａは、生活廃水又は工業用排水等の下水（被処理水）を、標準活性汚泥法において、活性汚泥を用いて有機物等を除去する水処理装置２ａ及び、水処理制御装置３ａを備える。  
水処理装置２ａは、最終沈殿池６に設置された汚泥界面計１５を備える。その他の構成は上述の実施例１と同様であり、説明を省略する。汚泥界面計１５は、最終沈殿池６内において下流側に設置されており、汚泥界面計１５により計測される最終沈殿池６内の活性汚泥界面の計測値は、信号線を介して水処理制御装置３ａへ出力される。
【００５２】
図５に示すように、水処理制御装置３ａは、降雨情報取得部２０、流入水量・水質予測部２１、処理可能量算出部２２、処理量制御部２３、汚泥沈降評価部３４、計測値取得部２４、下水流量時間変化データベース２５、降雨量−流入水量相関データベース２６、下水の有機物濃度時間変化データベース２７、通信Ｉ／Ｆ２８、入力Ｉ／Ｆ２９及び出力Ｉ／Ｆ３０を備え、これらは相互に内部バス３３を介して接続されている。また、入力Ｉ／Ｆ２９は入力部３１に接続され、入力部３１を介して入力される、施設条件等に基づく単位時間当たりの好気槽流入水１０１の流量上限や最終沈殿池６内の汚泥界面上限を取り込む。出力Ｉ／Ｆ２８は表示部３２に接続され、表示部３２は画面上に例えば、各種設定値或いは処理区域内の降雨情報等必要に応じて所望の情報を画面上に表示する。なお、水処理制御装置３は、図示しないが、好気槽（反応槽）５へ散気部７を介して供給される曝気風量を制御するため、ブロワ８を制制御する機能も有している。なお、本実施例では、水処理制御装置３が降雨情報取得部２０を有する場合を一例として説明する。
【００５３】
汚泥界面計１５により計測された最終沈殿池６内の活性汚泥界面の計測値は、通信Ｉ／Ｆ２８及び内部バス３３を介して計測値取得部２４に転送される。計測値取得部２４は、取得された最終沈殿池６内の活性汚泥界面の計測値に対し、例えば、ノイズ除去等の処理を施し内部バス３３を介して汚泥沈降評価部３４へ転送する。  
汚泥沈降評価部３４は、予め設定された最終沈殿池６内の活性汚泥界面上限と、計測値取得部２４より転送された汚泥界面計１５により計測された最終沈殿池６内の活性汚泥界面の計測値と、を比較する。  
また、処理可能量算出部２２は、計測値取得部２４から転送された汚泥濃度計１３により計測された好気槽（反応槽）５内の活性汚泥濃度の計測値と、計測値取得部２４より転送された汚泥界面計１５により計測された最終沈殿池６内の活性汚泥界面の計測値と、に基づき、上記式（６）により所定時間における生物処理量、すなわち好気槽流入水１０１の流量上限を算出する。
【００５４】
上述の、降雨情報取得部２０、流入水量・水質予測部２１、処理可能量算出部２２、処理量制御部２３、汚泥沈降評価部３４、及び計測値取得部２４は、例えば、図示しないＣＰＵ等のプロセッサ、各種プログラムを格納するＲＯＭ、演算過程のデータを一時的に格納するＲＡＭ、外部記憶装置等の記憶装置にて実現されると共に、ＣＰＵ等のプロセッサがＲＯＭに格納された各種プログラムを読み出し実行し、実行結果である演算結果をＲＡＭ又は外部記憶装置に格納する。
【００５５】
次に、水処理制御装置３ａの動作、すなわち、好気槽（反応槽）５への好気槽流入水１０１の流量制御方法について説明する。  
図６は、図５に示す水処理制御装置３ａによる好気槽（反応槽５）への流入水量の流量制御フロー図である。図６に示すようにＳ２０１では、施設条件等に基づき単位時間当たりの好気槽流入水１０１の流量上限（Ｑｔ＿ｕｐ）、最終沈殿池６内の活性汚泥界面上限（Ｈｕｐ）を、入力部３１を介して設定する。
【００５６】
次に、ステップＳ２０２では、汚泥沈降評価部３４は、汚泥界面計１５による最終沈殿池６内の活性汚泥界面の計測値（Ｈ（ｔ））を、内部バス３３を介して計測値取得部２４から取得する。  
ステップＳ２０３では、汚泥沈降評価部３４は、ステップＳ２０２にて取得された汚泥界面計１５による最終沈殿池６内の活性汚泥界面の計測値（Ｈ（ｔ））と、ステップＳ２０１にて設定された最終沈殿池６内の活性汚泥界面上限（Ｈｕｐ）と比較する。比較の結果、汚泥界面計１５による最終沈殿池６内の活性汚泥界面の計測値（Ｈ（ｔ））が最終沈殿池６内の活性汚泥界面上限（Ｈｕｐ）よりも小さければステップＳ２０４へ進む。一方、比較の結果、汚泥界面計１５による最終沈殿池６内の活性汚泥界面の計測値（Ｈ（ｔ））が最終沈殿池６内の活性汚泥界面上限（Ｈｕｐ）以上の場合は、ステップＳ２０５へ進む。
【００５７】
ステップＳ２０５では、処理量制御部２３は、例えば計画水量など予め設定した所定値（Ｑｔ＿ｕｐ＿ｔｍｐ）に好気槽流入水１０１の流量上限を固定し、ステップＳ２０２へ戻る。  
なお、ステップＳ２０４、ステップＳ２０６〜ステップＳ２１２は、上述の実施例１において図３に示したステップＳ１０２〜ステップＳ１０９とそれぞれ同一であるためここでは説明を省略する。
【００５８】
以上の構成により、最終沈殿池６における活性汚泥の沈降状況を監視し、好気槽流入水１０１の流量上限値を算出することで、より確実に最終沈殿池６からの活性汚泥流出を抑制することが可能となる。  
なお、本実施例では、最終沈殿池６内の活性汚泥界面を計測するため汚泥界面計１６を設置する構成としたがこれに限られるものではない。例えば、汚泥界面計１６に代えて、ＳＳ濃度計若しくは濁度計など処理水１０４の活性汚泥濃度を計測若しくは推定できるものを用いる構成としても良く、これらの場合の設置位置は、最終沈殿池６から処理水１０４の流路の任意の場所で良い。
【００５９】
以上の通り本実施例によれば、実施例１の効果に加え、より確実に最終沈殿池６からの活性汚泥流出を抑制することが可能となる。
【００６０】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。
【符号の説明】
【００６１】
１，１ａ…水処理システム
２，２ａ…水処理装置
３，３ａ…水処理制御装置
４…最初沈殿池
５…好気槽（反応槽）
６…最終沈殿池
７…散気部
８…ブロワ
９…返送ポンプ
１０…第１流量計
１１…ＵＶ計
１２…第２流量計
１３…汚泥濃度計
１４…可動堰
１５…汚泥界面計
２０…降雨情報取得部
２１…流入水量・水質予測部
２２…処理可能量算出部
２３…処理量制御部
２４…計測値取得部
２５…下水流量時間変化データベース
２６…降雨量−流入水量相関データベース
２７…下水の有機物濃度時間変化データベース
２８…通信Ｉ／Ｆ
２９…入力Ｉ／Ｆ
３０…出力Ｉ／Ｆ
３１…入力部
３２…表示部
３３…内部バス
３４…汚泥沈降評価部
１００…下水
１０１…好気槽流入水
１０２…活性汚泥
１０３…簡易処理放流水
１０４…処理水
１０５…返送汚泥
【図１】
2020006296.tif 000009
【図２】
2020006296.tif 000010
【図３】
2020006296.tif 000011
【図４】
2020006296.tif 000012
【図５】
2020006296.tif 000013
【図６】
2020006296.tif 000014